(57)【要約】【課題】簡素な構造にして竿（物干し竿）を物干し台に移動不能に固定する物干し台の竿係止具を得る。【解決手段】水平方向に延びる支持部材（１０）の上面に、棒材又は板材を波形に湾曲させた竿受け（１１）を設け、前記竿受け（１１）の、隣接する二つの山部（１１ｂ）に係止する係止板（１４）を設け、該係止板（１４）の中心部にボルト（１５）を上方からねじ嵌合させるとともに、該ボルト（１５）の下端部に押圧体（１６）を設け、該押圧体（１６）により、前記竿受け（１１）の谷部（１１ａ）に載置した竿（１２）を下方に向けて押圧する。【選択図】図１
2007054158.tif 000002
【特許請求の範囲】
【請求項１】
水平方向に延びる支持部材（１０）の上面に、棒材又は板材を波形に湾曲させた竿受け（１１）を設け、前記竿受け（１１）の、隣接する二つの山部（１１ｂ）に係止する係止板（１４）を設け、該係止板（１４）の中心部にボルト（１５）を上方からねじ嵌合させるとともに、該ボルト（１５）の下端部に押圧体（１６）を設け、該押圧体（１６）により、前記竿受け（１１）の谷部（１１ａ）に載置した竿（１２）を下方に向けて押圧することを特徴とする物干し台の竿係止具。
【請求項２】
ボルト（１５）は蝶ボルトとしたことを特徴とする請求項１記載の物干し台の竿係止具。
【請求項３】
押圧体（１６）は板材を山形状に湾曲させたことを特徴とする請求項１又は２記載の物干し台の竿係止具。
【発明の詳細な説明】
【技術分野】
【０００１】
本発明は、洗濯物（干し物）の着脱時、あるいは風などによって竿（物干し竿）が物干し台から不用意に離脱するのを防止する物干し台の竿係止具に関するものである。
【背景技術】
【０００２】
従来の物干し台として、図４に示すものがあった。即ち、コンクリートブロック製の脚１に支柱２を起立固定し、該支柱２の上部を水平方向に屈曲させて腕３を形成し、該腕３の上面に丸棒材を波形に湾曲させた竿受け４を溶接固定し、該竿受け４の谷部で竿（物干し竿）５を支持する。
【０００３】
前記従来の物干し台は、竿５が竿受け４の谷部に重力のみによって係止されていたので、洗濯物の着脱時、あるいは風などによって竿５が横方向（図４において左右方向）、あるいは長手方向の力を受けると、竿５が竿受け４上で移動し、該竿５が竿受け４から離脱することがあった。
【特許文献１】特開平８−２８０９９２号公報
【発明の開示】
【発明が解決しようとする課題】
【０００４】
本発明は、簡素な構造にして竿（物干し竿）が物干し台から不用意に移動したり、離脱したりするのを防止する新規な物干し台の竿係止具を得ることを目的とする。
【課題を解決するための手段】
【０００５】
請求項１に係る発明は、水平方向に延びる支持部材の上面に、棒材又は板材を波形に湾曲させた竿受けを設け、前記竿受けの、隣接する二つの山部に係止する係止板を設け、該係止板の中心部にボルトを上方からねじ嵌合させるとともに、該ボルトの下端部に押圧体を設け、該押圧体により、前記竿受けの谷部に載置した竿を下方に向けて押圧する構成にしたものである。
請求項２に係る発明は、前記ボルトを蝶ボルトとしたものである。
請求項３に係る発明は、前記押圧体を板材により山形状に湾曲させて形成したものである。
【発明の効果】
【０００６】
竿受けの谷部に竿を載置し、その谷部の両側に位置する竿受けの山部に係止板を係止し、ボルトをねじ込み方向に回転させると、該ボルトの下端に設けた押圧体が係止板から下方に移動して前記竿を下方に押圧することになる。これにより、竿受けの谷部に載置した竿は、該谷部と押圧体とによって上下方向に挟持されて前記支持部材に固定され、該竿への干し物の着脱作業が容易に行えることになる。また、強風が発生しても竿が支持部材から不用意に離脱しなくなる。
この場合、前記ボルトを蝶ボルトとしたので、押圧体の上下移動が手動により容易に行なえることになる。また、押圧体は板材を山形状に湾曲させて形成したので、竿の上半部を囲繞し、竿の横移動を規制しながら該竿を竿受けの谷部に向けて押圧することになり、竿を支持部材に安定して固定することができる。
【発明を実施するための最良の形態】
【０００７】
以下本発明の実施の形態を図面に基いて説明する。図面において、図１は本発明の実施例を示す要部側面図、図２は図１の平面図、図３は本発明による係止具の拡大側面図である。
【０００８】
図１、図２において、１０は物干し台の支持部材であり、パイプ製の支柱の上端部を左右（水平）方向に屈曲して形成されている。前記支持部材１０の上面に丸棒材を波形に湾曲させた竿受け１１を溶接固定する。該竿受け１１は、下方に湾曲した谷部１１ａで竿（物干し竿）１２を支持し、該谷部１１ａの左右両側に位置する山部１１ｂで前記竿１２の横移動を規制するようになっている。なお、前記竿受け１１は細長い板材を波形に湾曲させて形成するようにしてもよい。
【０００９】
１３は前記竿受け１１に載置した竿１２を支持部材１０に固定する係止具であり、係止板１４、ボルト１５、及び押圧体１６を主要部品として構成される。係止板１４は、金属板により形成されるもので、図２、図３に示すように、左右方向に長い長方形状の主体の両端部に一対の係止溝１４ａ，１４ａを形成する。該係止溝１４ａ，１４ａは竿受け１１の左右に隣接する山部１１ｂ，１１ｂに着脱可能に嵌合係止する幅とする。
【００１０】
前記係止板１４の中心部にボルト１５を上方から螺合させるとともに、その下部を係止板１４から下方に突出させ、該ボルト１５の下端部に押圧体１６を回転可能に取り付ける。前記ボルト１５は、ねじ部１５ａの頭部につまみ部１５ｂを一体に有する蝶ボルトとする。
【００１１】
前記押圧体１６は、長方形状の金属板により形成されるもので、図１、図３に示すよう左右の辺を下方に向かって拡開するテーパー状に屈曲させ、左右中心部を前記ねじ部１５ａの下端に回転可能に連結する。前記テーパー状に屈曲させた左右の斜辺１６ａ，１６ａは竿１２の上部側の左右面に当接するようにする。なお、前記押圧体１６は下方に向けて円弧状に湾曲させるようにしてもよい。
【００１２】
前記実施例によれば、竿受け１１の谷部１１ａに竿１２を載置し、係止板１４の各係止溝１４ａ，１４ａを前記谷部１１ａの両側に位置する竿受け１１の山部１１ｂに係止した後、ボルト１５のつまみ部１５ｂを操作してねじ部１５ａをねじ込み方向に回転させると、押圧体１６が係止板１４から下方に移動してその斜辺１６ａ，１６ａが前記竿１２の上部両側面を下方に押圧し、前記竿１２を竿受け１１の谷部１１ａに押し付け、該竿１２を支持部材１０に固定することになる。
【００１３】
これにより、干し物を竿１２に掛けたり、あるいは干し物を竿１２から取り外したりする際に、竿１２が不用意に移動したり、竿受け１１から離脱したりしなくなり、竿１２への干し物の着脱作業が容易に行えることになる。また、強風が発生しても竿１２が竿受け１１、従って支持部材１２から離脱しなくなる。
この場合、前記ボルト１５を蝶ボルトとしたので、そのつまみ部１５ｂを操作することによって押圧体１６の上下移動が容易に行なえることになる。また、押圧体１６は左右の斜辺１６ａ，１６ａが竿１２の上部両側に当接し、竿１２の横移動を規制しながら該竿１２を竿受け１１の谷部１１ａに向けて押圧することになり、竿１２を安定して支持部材１０に固定することができる。
【図面の簡単な説明】
【００１４】
【図１】本発明の実施例を示す要部側面図である。
【図２】図１の平面図である。
【図３】本発明による係止具の拡大側面図である。
【図４】従来例を示す正面図である。
【符号の説明】
【００１５】
１０    支持部材
１１    竿受け
１１ａ  谷部
１１ｂ  山部
１２    竿（物干し竿）
１３    係止具
１４    係止板
１４ａ  係止溝
１５    ボルト
１５ａ  ねじ部
１５ｂ  つまみ部
１６    押圧体
１６ａ  斜辺
【図１】
2007054158.tif 000003
【図２】
2007054158.tif 000004
【図３】
2007054158.tif 000005
【図４】
2007054158.tif 000006